(57)【特許請求の範囲】
【請求項１】
洗面器の排水口に着脱自在に設置されるヘアキャッチャーと、前記ヘアキャッチャーの上方に配置される排水栓と、を備える排水栓開閉構造であって、
前記排水栓は、前記排水口を覆う栓本体と、前記栓本体から下方に延びる脚部とを有すると共に、前記排水口に着脱自在であり、前記排水栓の位置を、下方に位置して前記排水口を閉状態とする閉位置と、上方に位置して前記排水口を開状態とする開位置とに変更可能であり、
前記ヘアキャッチャーは、その外周壁に、前記排水栓を昇降させて開位置又は閉位置に変更させるための昇降構造であって、開位置において前記排水栓の前記脚部の下部に当接して開状態を維持する開位置当接部を有する昇降構造を備えており、
前記脚部は、前記栓本体の下面から下方に、前記外周壁に向かって延びている、排水栓開閉構造。
【請求項２】
前記外周壁は、前記開位置当接部に向けて斜め上に向けて延びる立ち上がり部であって前記排水栓の位置を閉位置から開位置に変更させる過程において前記排水栓に当接する立ち上がり部を有する、
請求項１に記載の排水栓開閉構造。
【請求項３】
前記外周壁は、前記開位置当接部の両端部側に、上方に突出する一対の突起を有する、
請求項１又は２に記載の排水栓開閉構造。
【請求項４】
前記一対の突起における対向する内側縁は、前記開位置当接部の外側に斜め上に向けて傾斜している、
請求項３に記載の排水栓開閉構造。
【請求項５】
前記脚部は、その下部の両端部にアール構造を有している
請求項１〜４のいずれかに記載の排水栓開閉構造。
【発明の詳細な説明】
【技術分野】
【０００１】
本発明は、ヘアキャッチャーと排水栓とを備える排水栓開閉構造に関する。
【背景技術】
【０００２】
洗面器においてはその排水口を塞ぐために排水栓が設けられていることがある。排水栓としては排水口に着脱自在な着脱式の排水栓（例えば、特許文献１参照）や、いわゆるポップアップ式の排水栓が一般的である。また、ヘアキャッチャーと排水栓とが一体的に且つ排水栓が昇降可能に構成された排水栓開閉構造も知られている（例えば、特許文献２参照）。
【先行技術文献】
【特許文献】
【０００３】
【特許文献１】特開２０１２−２００３３１号公報
【特許文献２】実公平６−２４４５４号公報
【発明の概要】
【発明が解決しようとする課題】
【０００４】
しかし、着脱式の排水栓は、非使用時に洗面器のボウル部に吊り下げたりされるため、見栄えが悪い。ポップアップ式の排水栓や、ヘアキャッチャーと排水栓とが一体的に構成された排水栓開閉構造では、排水栓や排水口の内部の清掃性が悪い。
【０００５】
本発明は、ヘアキャッチャーと排水栓とを備える排水栓開閉構造において、排水栓の非使用時の見栄えに優れると共に、排水栓や排水口の内部の清掃性に優れる排水栓開閉構造を提供することを目的とする。
【課題を解決するための手段】
【０００６】
本発明は、洗面器の排水口に着脱自在に設置されるヘアキャッチャーと、前記ヘアキャッチャーの上方に配置される排水栓と、を備える排水栓開閉構造であって、前記排水栓は、前記排水口を覆う栓本体と、前記栓本体から下方に延びる脚部とを有すると共に、前記排水口に着脱自在であり、前記排水栓の位置を、下方に位置して前記排水口を閉状態とする閉位置と、上方に位置して前記排水口を開状態とする開位置とに変更可能であり、前記ヘアキャッチャーは、その外周壁に、前記排水栓を昇降させて開位置又は閉位置に変更させるための昇降構造であって、開位置において前記排水栓の前記脚部の下部に当接して開状態を維持する開位置当接部を有する昇降構造を備えている、排水栓開閉構造に関する。
【０００７】
また、前記外周壁は、前記開位置当接部に向けて斜め上に向けて延びる立ち上がり部であって前記排水栓の位置を閉位置から開位置に変更させる過程において前記排水栓に当接する立ち上がり部を有することが好ましい。
【０００８】
また、前記外周壁は、前記開位置当接部の両端部側に、上方に突出する一対の突起を有することが好ましい。
【０００９】
また、前記一対の突起における対向する内側縁は、前記開位置当接部の外側に斜め上に向けて傾斜していることが好ましい。
【００１０】
また、前記脚部は、その下部の両端部にアール構造を有していることが好ましい。
【発明の効果】
【００１１】
本発明によれば、ヘアキャッチャーと排水栓とを備える排水栓開閉構造において、排水栓の非使用時の見栄えに優れると共に、排水栓や排水口の内部の清掃性に優れる排水栓開閉構造を提供することができる。
【図面の簡単な説明】
【００１２】
【図１】本発明の実施形態に係る洗面化粧台１の全体構成を示す斜視図である。
【図２】本発明の実施形態に係る洗面化粧台１を上側から視た図である。
【図３】本発明の実施形態に係る洗面化粧台１の洗面器３の構成を示す斜視図である。
【図４】本発明の実施形態に係る洗面化粧台１の排水管５及びオーバーフロー管６の構成を示す断面図である。
【図５】実施形態に係る洗面器３における一体成形部分を示す斜視断面図である。
【図６】実施形態に係るヘアキャッチャー８を示し、（ａ）は斜視図、（ｂ）は正面図、（ｃ）は左側面図、（ｄ）は平面図である。
【図７】実施形態に係る排水栓９を示し、（ａ）は斜視図、（ｂ）は正面図、（ｃ）は右側面図、（ｄ）は底面図である。
【図８】閉状態（閉位置）を示し、（ａ）は排水栓９を示す平面図、（ｂ）は部分縦断面図である。
【図９】図８を左側から視た図である。
【図１０】開状態（開位置）を示し、（ａ）は排水栓９を示す平面図、（ｂ）は部分縦断面図である。
【図１１】図１０を左側から視た図である。
【図１２】（ａ）及び（ｂ）は、閉位置から開位置へ変移する過程を示す図である。
【発明を実施するための形態】
【００１３】
以下、本発明の洗面化粧台の好ましい実施形態について、図面を参照しながら説明する。図１は、本発明の実施形態に係る洗面化粧台１の全体構成を示す斜視図である。図２は、本発明の実施形態に係る洗面化粧台１を上側から視た図である。図３は、本発明の実施形態に係る洗面化粧台１の洗面器３の構成を示す斜視図である。図４は、本発明の実施形態に係る洗面化粧台１の排水管５及びオーバーフロー管６の構成を示す断面図である。図５は、実施形態に係る洗面器３における一体成形部分を示す斜視断面図である。
【００１４】
まず、本実施形態の洗面化粧台１の全体構成について説明する。
図１〜図４に示すように、本実施形態の洗面化粧台１は、下部キャビネット２と、洗面器３と、ミラーキャビネット１１と、を備える。
【００１５】
下部キャビネット２は、図１に示すように、洗面化粧台１の下部を構成し、前面に開閉扉を有した箱状に形成される。下部キャビネット２の内部には、小物等を収納する収納空間が形成される。収納空間の奥側には、洗面器３の排水口４１（後述）に接続された排水管５が配置される。
【００１６】
洗面器３は、図１及び図２に示すように、下部キャビネット２の上部に配置される。洗面器３は、凹状に形成されるボウル部３１と、ボウル前面カバー部３２と、洗面器３の奥側に配置される第１上面部３３と、幅方向の一端側に配置される第２上面部３４と、排水管５と、オーバーフロー管６と、フランジ管６０と、水栓部７と、を有する。
【００１７】
ボウル部３１は、平面視において、略矩形形状と、略矩形形状の一端（洗面化粧台１に対面した場合の右端）から奥側に延びる形状と、が連続した形状に形成される。ボウル部３１は、平面視において、第１上面部３３と第２上面部３４と外枠とに挟まれる部分である。
【００１８】
ボウル部３１は、後述する水栓部７から吐出された水を受ける。ボウル部３１は、図３に示すように、排水口４１と、オーバーフロー孔４２と、吐水管固定用穴４３と、操作部固定用穴４４と、を有する。吐水管固定用穴４３及び操作部固定用穴４４は、第１上面部３３に設けられる。
【００１９】
ボウル前面カバー部３２は、ボウル部３１の前方にボウル部３１に一体に成形されており、前側に露出している。第１上面部３３及び第２上面部３４は、ボウル部３１に一体に成形されている。
【００２０】
排水口４１は、図３及び図４に示すように、ボウル部３１における略矩形形状の一端（洗面化粧台１に対面した場合の右端）から奥側に延びる部分の底部に設けられる。排水口４１は、ボウル部３１の底部を上下方向に貫通する。ボウル部３１の底部は、平面状に形成され、排水口４１側に向けて傾斜している。排水口４１は、水栓部７から吐出されてボウル部３１により一旦受け止められた水を、排水管５を介して、外部に排水する。排水管５は、排水口４１の下部に接続され、排水口４１から下方に向けて延びている。
【００２１】
排水口４１の内部には、図４に示すように、ヘアキャッチャー８が着脱自在に設置されている。排水口４１の内部には、図４及び図５に示すように、回り止め凸条４５が設けられている。回り止め凸条４５は、上下方向に延びる凸条であり、ヘアキャッチャー８の回り止め凹部８２ｂ（後述）に嵌入されて、排水口４１に対するヘアキャッチャー８の回り止めとして機能する。
排水口４１には、図２及び図４に示すように、ヘアキャッチャー８の上方に、排水口４１を開閉可能な排水栓９が配置される。
ヘアキャッチャー８及び排水栓９の詳細については後述する。
【００２２】
オーバーフロー孔４２は、図３に示すように、ボウル部３１における略矩形形状の一端（洗面化粧台１に対面した場合の右端）から奥側に延びる部分の第２上面部３４側の側面に設けられる。オーバーフロー孔４２は、ボウル部３１の側面を幅方向に貫通する。オーバーフロー孔４２は、ボウル部３１の底部から所定の高さの位置に設けられている。オーバーフロー孔４２は、排水口４１が排水栓９により閉じられた状態で、洗面器３に水が溜まって、オーバーフロー孔４２の位置まで水位が上昇した場合に、後述するオーバーフロー管６を介して、水を外部に排出する。これにより、水がボウル部３１から溢れることを抑制する。
【００２３】
フランジ管６０は、オーバーフロー孔４２において、洗面器３のボウル部３１とオーバーフロー管６の一端部とを接続する。フランジ管６０は、フランジ部６１と、筒状部６２と、を有する。
【００２４】
フランジ部６１は、フランジ管６０の一端部に形成される。フランジ部６１は、オーバーフロー孔４２において、洗面器３のボウル部３１の内面側に位置しており、ボウル部３１の内面に当接する。
【００２５】
筒状部６２は、フランジ部６１に連続して形成される。筒状部６２は、円筒状に形成される。筒状部６２は、洗面器３のボウル部３１の外面側において、オーバーフロー管６の上部Ｌ字管６３（後述）の一端部に接続される。筒状部６２の内部には、洗面器３のボウル部３１の外面側において、玉鎖固定部材１０（後述）が固定される。筒状部６２の外面には、フランジ管ネジ部６２１が形成される。筒状部６２のフランジ管ネジ部６２１は、上部Ｌ字管６３の一端部の内面に形成される上部Ｌ字管ネジ部６３ａに螺合している。
【００２６】
フランジ管６０の筒状部６２の内部には、玉鎖固定部材１０が嵌め込まれて固定されている。玉鎖固定部材１０には、玉鎖部材１５の他端部が接続されている。つまり、玉鎖部材１５の他端部は、フランジ管６０の筒状部６２の内部において、玉鎖固定部材１０に接続される。玉鎖固定部材１０は、オーバーフロー孔４２の内部において、フランジ管６０に固定される。
【００２７】
玉鎖固定部材１０は、フランジ管６０の一部を塞いでおり、オーバーフロー孔４２に侵入する異物を捕捉する機能を有する。
【００２８】
オーバーフロー管６は、フランジ管６０と排水管５とを接続する。オーバーフロー管６は、オーバーフロー孔４２においてボウル部３１に連通する。オーバーフロー管６は、上部Ｌ字管６３と、上下管６４と、下部Ｌ字管６５と、を備える。
【００２９】
上部Ｌ字管６３は、全体として、略Ｌ字状に形成される。上部Ｌ字管６３の一端部は、フランジ管６０の筒状部６２に接続される。
上部Ｌ字管６３は、フランジ管６０の他端部からボウル部３１に対して離れる方向に所定長さ略水平方向に延び、下方に屈曲して、下方に所定長さ延びる。上部Ｌ字管６３の他端部は、上下管６４の上端部に接続される。
【００３０】
上下管６４は、上下方向に延びて形成される。上下管６４の上端部は、上部Ｌ字管６３の他端部に外挿される。上下管６４の下端部は、下部Ｌ字管６５の一端部に外挿される。
【００３１】
下部Ｌ字管６５は、全体として、略Ｌ字状に形成される。下部Ｌ字管６５の一端部は、上下管６４の下端部に接続される。下部Ｌ字管６５は、上下管６４の下端部から下方に所定長さ延び、洗面器３のボウル部３１に近づく方向に屈曲して、その曲がり部分から洗面器３の排水管５の側に所定長さ水平方向に延びる。
下部Ｌ字管６５の曲がり部分において、下部Ｌ字管６５における洗面器３のボウル部３１側の内面から突出する壁部６７が形成される。
【００３２】
下部Ｌ字管６５の他端部には、接続筒部６６が取り付けられている。接続筒部６６の先端側の内面には、筒部ネジ部６６ａが形成されている。筒部ネジ部６６ａは、接続管５１の一端部に形成される接続管ネジ部５１ａに螺合している。これにより、下部Ｌ字管６５の他端部は、接続管５１の一端部に接続される。
【００３３】
接続管５１は、オーバーフロー管６の下部Ｌ字管６５と排水管５とを接続する。接続管５１の他端部は、排水管５の側面に接続されている。これにより、下部Ｌ字管６５は、接続管５１を介して、排水管５に接続されている。本実施形態においては、ボウル部３１と排水管５と接続管５１とは、一体に成形されている。
【００３４】
水栓部７は、図１に示すように、吐水管７１と、操作部７２と、を有する。吐水管７１は、吐水管固定用穴４３（図３参照）を介して、洗面器３の第１上面部３３に取り付けられる。操作部７２は、操作部固定用穴４４（図３参照）を介して、洗面器３の第１上面部３３に取り付けられる。水栓部７においては、操作部７２を操作することにより、吐水管７１から水が吐出される。
【００３５】
ミラーキャビネット１１は、上下方向に延びる板状に形成される。ミラーキャビネット１１は、洗面器３の後端部から上方に延びる。ミラーキャビネット１１は、化粧鏡１２と、複数の収納トレイ１３と、照明部１４と、を有する。
【００３６】
化粧鏡１２は、ミラーキャビネット１１の幅方向の略中央において、洗面器３の上方側に取り付けられている。化粧鏡１２は、平面状に形成される。化粧鏡１２は、下端部が手前側になるように傾斜するように配置される。
【００３７】
照明部１４は、化粧鏡１２の上方に配置される。照明部１４は、１灯配置される。照明部１４は、電球部１４ａと、電球部１４ａをカバーするカバー部材１４ｂと、を有する。カバー部材１４ｂは、電球部１４ａからの光を透過して、カバー部材１４ｂの前面を介して、前方を照明すると共に、カバー部材１４ｂの下面を介して、下方を照明する。そのため、照明部１４は、前方に向けて光を照射する前方照射部としての機能を有し、かつ、その下面に設けられると共に下方に向けて光を照射する下方照射部としての機能を有する。つまり、照明部１４は、下方照射部により下方に向けて光を照射することで、下方にも照明する。カバー部材１４ｂは、半透明の樹脂材料により形成される。
【００３８】
複数の収納トレイ１３は、化粧鏡１２の下方や化粧鏡１２の両側に、配置されている。
【００３９】
以下に、本実施形態のヘアキャッチャー８と排水栓９とを備える排水栓開閉構造の詳細について説明する。図６は、実施形態に係るヘアキャッチャー８を示し、（ａ）は斜視図、（ｂ）は正面図、（ｃ）は左側面図、（ｄ）は平面図である。図７は、実施形態に係る排水栓９を示し、（ａ）は斜視図、（ｂ）は正面図、（ｃ）は右側面図、（ｄ）は底面図である。
【００４０】
図６に示すように、ヘアキャッチャー８は、底部８１と、外周壁８２と、上方摘み部８８ａと、下方摘み部８８ｂとを備えている。
底部８１は、流れてきた髪の毛などの異物を受け止めて捕捉する。底部８１は、水平方向に対して傾斜している。底部８１の上部領域には、複数の上方孔８１ａが設けられており、底部８１の下部領域には、複数の下方孔８１ｂが設けられている。
【００４１】
上方摘み部８８ａは、底部８１から上方に向けて延びている。上方摘み部８８ａは、ヘアキャッチャー８を排水口４１に着脱する際などに摘まれる部分である。下方摘み部８８ｂは、底部８１から下方に向けて延びている。下方摘み部８８ｂは、ヘアキャッチャー８の清掃時などに摘まれる部分である。
【００４２】
外周壁８２は、周方向に円状に１周しており（連続しており）、低壁部８２ａとガイド壁部８４とを有している。低壁部８２ａは、外周壁８２のうちの高さが低い部分であり、言い換えると平面視においてガイド壁部８４以外の部分である。ガイド壁部８４は、外周壁８２のうちの高さが高い部分であり、昇降構造８３の主要部を構成する。
【００４３】
低壁部８２ａは、周方向に１８０度離間して（周方向に沿う低壁部８２ａの中心位置基準）、２個設けられている。ガイド壁部８４は、周方向に１８０度離間して（周方向に沿うガイド壁部８４の中心位置基準）、２個設けられている。低壁部８２ａとガイド壁部８４とは、周方向に９０度ずれている（周方向に沿う中心位置基準）。つまり、周方向において低壁部８２ａ、ガイド壁部８４、低壁部８２ａ及びガイド壁部８４の順で配列している。
【００４４】
外周壁８２は、更に、回り止め凹部８２ｂを有している。回り止め凹部８２ｂは、外周壁８２において周方向に部分的に設けられ、径方向内側に向けて凹んだ部分である。回り止め凹部８２ｂの上部には、回り止め凹部８２ｂの上部を覆う板状部８２ｃが設けられている。
回り止め凹部８２ｂには、排水口４１における回り止め凸条４５が嵌入される。その状態において、回り止め凹部８２ｂは、排水口４１に対してヘアキャッチャー８を周方向に位置決めする。また、板状部８２ｃは、回り止め凸条４５の上部に当接し、排水口４１に対してヘアキャッチャー８を上下方向に位置決めする。
【００４５】
ヘアキャッチャー８は、その外周壁８２に、昇降構造８３を備えている。昇降構造８３は、排水栓９を昇降させて開位置（図１０、図１１参照）又は閉位置（図８、図９参照）に変更させるための構造である。昇降構造８３の主要部はガイド壁部８４である。
昇降構造８３（ガイド壁部８４）は、開位置当接部８５と、立ち上がり部８６と、突起８７とを備えている。
【００４６】
開位置当接部８５は、開位置（図１０、図１１参照）において、排水栓９の脚部９２（後述）の下部である脚底部９２ａ（後述）に当接して、開状態を維持する。
立ち上がり部８６は、低壁部８２ａの頂部から開位置当接部８５に向けて斜め上に向けて延びており、排水栓９の位置を閉位置（図８、図９参照）から開位置（図１０、図１１参照）に変更させる過程において排水栓９の脚部９２に当接する。水平方向に対する立ち上がり部８６の傾斜角度は、例えば４０〜５０度であり、本実施形態では４７度である。
【００４７】
突起８７は、開位置当接部８５の両端部側に、一対設けられている。一対の突起８７は、開位置（図１０、図１１参照）において排水栓９の脚部９２が開位置当接部８５から脱落することを抑制する。
一対の突起８７，８７における対向する内側縁８７ａ，８７ａは、開位置当接部８５の外側に斜め上に向けて傾斜している。水平方向に対する突起８７，８７の内側縁８７ａの傾斜角度は、例えば４０〜５０度であり、本実施形態では４５°である。
【００４８】
次に、排水栓９について詳述する。図７に示すように、排水栓９は、排水口４１に着脱自在であると共に、装着した状態において排水口４１を塞ぐ機能を有する。排水栓９は、排水栓９の位置を、下方に位置して排水口４１を閉状態とする閉位置（図８、図９参照）と、上方に位置して排水口４１を開状態とする開位置（図１０、図１１参照）とに変更可能である。
【００４９】
排水栓９は、排水口４１を覆う栓本体９１と、栓本体９１から下方に向けて延びる脚部９２と、を有している。
栓本体９１は、円盤状であり、その下方に環状のシール保持溝９１ａを有している。シール保持溝９１ａには、環状のシール部材９４が嵌合されている。シール部材９４は、閉状態において排水口４１との間の水密性を確保する機能を有する。
【００５０】
脚部９２は、栓本体９１と同心円状に周方向に１８０度離間して（周方向に沿う脚部９２の中心位置基準）、２個設けられている。脚部９２は、正面視において略台形状（略矩形状）であり、脚底部９２ａ及び脚側部９２ｂを有している。脚底部９２ａは、正面視において直線状である。脚部９２は、底面視において円弧状である。
脚部９２は、その下部の両端部にアール構造を有している。つまり、脚底部９２ａと脚側部９２ｂとの接続部分９２ｃ（図７（ｂ）参照）は、尖っておらず、丸みを帯びている。この丸みの曲率半径は、例えば３〜１０ｍｍであり、本実施形態では５ｍｍである。
底面視における排水栓９の脚部９２の径は、平面視における外周壁８２の径とほぼ同じである。
【００５１】
摘み部９３は、栓本体９１の上部に設けられている。摘み部９３は、排水栓９の位置を変更（閉位置から開位置、又はその逆）する際や、清掃時に排水栓９を排水口４１から外す際に摘まれる部分である。摘み部９３は、平面視において略円形状の栓本体９１の中心から外周部に向けて直線状に延びている。
摘み部９３における栓本体９１の中心に対応する位置には、鎖接続孔９３ａが設けられている。鎖接続孔９３ａには、玉鎖部材１５の一端部が挿入されて固定（接続）される。
【００５２】
次に、図８〜図１２を参照しながら、排水栓９の閉位置と開位置との変移の動作について説明し、併せてその過程における排水栓９とヘアキャッチャー８との位置関係や作用などについて説明する。
【００５３】
図８は、閉状態（閉位置）を示し、（ａ）は排水栓９を示す平面図、（ｂ）は部分縦断面図である。図９は、図８を左側から視た図である。図１０は、開状態（開位置）を示し、（ａ）は排水栓９を示す平面図、（ｂ）は部分縦断面図である。図１１は、図１０を左側から視た図である。図１２（ａ）及び（ｂ）は、閉位置から開位置へ変移する過程を示す図である。
【００５４】
図８及び図９に示す閉位置においては、排水栓９のシール部材９４は排水口４１の内周面に当接しており、水密性が確保されている。この状態においては、排水栓９の脚部９２は、周方向においてヘアキャッチャー８の低壁部８２ａに対応する位置に配置している。また、排水栓９の脚部９２の脚底部９２ａは、上下方向においてヘアキャッチャー８の低壁部８２ａに当接していない。その理由は、仮に当接すると、排水栓９が持ち上がり、排水栓９と排水口４１との当接が不十分となり、水密性が確保されない可能性が生じるためである。
【００５５】
次に、閉位置から開位置に変移させる場合には、使用者は、閉状態における排水栓９を９０度回転させる。すなわち、使用者は排水栓９の摘み部９３を摘んで、排水栓９を徐々に回転させる。すると、図１２（ａ）に示すように、排水栓９の脚部９２は、外周壁８２の昇降構造８３のガイド壁部８４の立ち上がり部８６に当接し、徐々にせり上がる。排水栓９を更に回転させると、図１２（ｂ）に示すように、排水栓９の脚部９２は、突起８７に乗り上がる。排水栓９を更に回転させると、図１０及び図１１に示すように、排水栓９の脚部９２は、突起８７を乗り越え、開位置当接部８５に載る（当接する）。この状態において、排水栓９のシール部材９４は、排水口４１の内周面に当接していない。そのため、排水栓９は開状態となり、開状態は維持される。
【００５６】
開位置から閉位置に変移させる場合には、使用者は、開状態における排水栓９を９０度回転させる。すなわち、使用者は排水栓９の摘み部９３を摘んで、排水栓９を徐々に回転させる。すると、開位置当接部８５に載っている脚部９２は、突起８７の内側縁８７ａに当接し、徐々にせり上がる。排水栓９を更に回転させると、図１２（ｂ）に示すように、排水栓９の脚部９２は、突起８７に乗り上がる。排水栓９を更に回転させると、図１０及び図１１に示すように、排水栓９の脚部９２は、突起８７を乗り越え、周方向においてヘアキャッチャー８の低壁部８２ａに対応する位置に配置する。脚部９２の脚底部９２ａは、上下方向においてヘアキャッチャー８の低壁部８２ａに当接しない。この状態において排水栓９のシール部材９４は、排水口４１の内周面に当接し、水密性を確保する。そのため、排水栓９は閉状態となり、閉状態は維持される。
【００５７】
以上説明した本実施形態の構造によれば、例えば、以下のような効果を奏する。
本実施形態の排水栓開閉構造は、洗面器３の排水口４１に着脱自在に設置されるヘアキャッチャー８と、ヘアキャッチャー８の上方に配置される排水栓９と、を備える排水栓開閉構造であって、排水栓９は、排水口４１を覆う栓本体９１と、栓本体９１から下方に延びる脚部９２とを有すると共に、排水口４１に着脱自在であり、排水栓９の位置を、下方に位置して排水口４１を閉状態とする閉位置と、上方に位置して排水口４１を開状態とする開位置とに変更可能であり、ヘアキャッチャー８は、その外周壁８２に、排水栓９を昇降させて開位置又は閉位置に変更させるための昇降構造８３であって、開位置において排水栓９に当接して開状態を維持する開位置当接部８５を有する昇降構造８３を備えている。
【００５８】
そのため、排水栓９を排水口４１から外さない状態で開状態を容易に実現することができる。例えば、排水口４１から外された排水栓９を洗面器３に吊り下げたりする必要がない。また、開状態において排水口４１の内部やヘアキャッチャー８が露出しにくいため、意匠性に優れる。また、清掃時には排水栓９を排水口４１から容易に外すことができるため、排水栓９、ヘアキャッチャー８、排水口４１などの清掃を容易に行うことできる。
【００５９】
また、開状態において脚部９２が排水口４１の内部の少なくとも一部を隠すことができるため、美観性に優れる。また、脚部９２は、ヘアキャッチャー８の外周壁８２と当接する機能を容易に実現することできる。清掃時などにおいて、排水栓９を排水口４１から外したときに、脚部９２を利用して排水栓９を適当な場所に自立させることができる。
【００６０】
また、本実施形態においては、外周壁８２は、開位置当接部８５に向けて斜め上に向けて延びる立ち上がり部８６であって排水栓９の位置を閉位置から開位置に変更させる過程において排水栓に当接する立ち上がり部８６を有する。
そのため、当該過程において、排水栓９は、立ち上がり部８６に当接し、容易にせり上がる。そのため、排水栓９を持ち上げなくても、閉状態から、排水栓９が開位置当接部８５に当接して開状態が維持される状態へ容易に変移させることができる。
【００６１】
また、本実施形態においては、外周壁８２は、開位置当接部８５の両端部側に、上方に突出する一対の突起８７を有する。
一対の突起８７が設けられていることにより以下の効果が奏される。排水栓９が開位置当接部８５に当接して開状態が維持された状態において使用者が意図せず排水栓９を回転させたりしても、排水栓９が一対の突起８７に当たり、排水栓９が開位置当接部８５から脱落することが抑制される。
【００６２】
また、本実施形態においては、一対の突起８７における対向する内側縁８７ａは、開位置当接部８５の外側に斜め上に向けて傾斜している。
一対の突起８７は、前述のように排水栓９が開位置当接部８５から脱落することを抑制する一方、使用者が排水栓９を開位置から閉位置に変移させるために排水栓９を回転させようとした場合に、排水栓９の回転を阻害しやすい。そこで、一対の突起８７における対向する内側縁８７ａを開位置当接部８５の外側に斜め上に向けて傾斜させることにより、使用者が排水栓９を回転させた場合に、排水栓９が突起８７を容易に乗り越えることができる。
【００６３】
脚部９２は、その下部の両端部にアール構造を有している。アール構造は、排水栓９が昇降構造８３をスムーズに昇降しやすくする。そのため、排水栓９についての閉位置と開位置との切り替えがスムーズになる。
【００６４】
以上、本発明の実施形態について説明したが、本発明は、上述した実施形態に制限されるものではなく、適宜変更が可能である。
例えば、前記実施形態においては、排水栓９は２個の脚部９２を有し、ヘアキャッチャー８の外周壁８２は、２個の低壁部８２ａと２個のガイド壁部８４とを有しているが、各個数はこれに制限されない。
【符号の説明】
【００６５】
３  洗面器
８  ヘアキャッチャー
９  排水栓
４１  排水口
８２  外周壁
８３  昇降構造
８５  開位置当接部
８６  立ち上がり部
８７  突起
８７ａ  内側縁
９１  栓本体
９２  脚部
９２ａ  脚底部（下部）
【図１】
0006504797.tif 000002
【図２】
0006504797.tif 000003
【図３】
0006504797.tif 000004
【図４】
0006504797.tif 000005
【図５】
0006504797.tif 000006
【図６】
0006504797.tif 000007
【図７】
0006504797.tif 000008
【図８】
0006504797.tif 000009
【図９】
0006504797.tif 000010
【図１０】
0006504797.tif 000011
【図１１】
0006504797.tif 000012
【図１２】
0006504797.tif 000013